(57)【要約】【課題】トーションレースの活用の幅を広げさせるトーションレースを提供する。【解決手段】トーションレース１００は、トーションレース本体部１０と飛び出しトーションレース片２１および２２とを備えている。トーションレース本体部１０は、右端トーションレース片１１０と、左端トーションレース片１２０と、中間トーションレース片１３０と、直列中間トーションレース片１４０とを備える。中間トーションレース片１３０は、トーションレース本体部１０からトーションレース片の長さ方向Ａに沿って飛び出した非拘束状態の飛び出しトーションレース片２１を含むトーションレース片である。直列中間トーションレース片１４０は、トーションレース本体部１０からトーションレース片の長さ方向Ａの反対方向Ｂに沿って飛び出した非拘束状態の飛び出しトーションレース片２２を含むトーションレース片である。【選択図】      図１
2010121220.tif 000002
【特許請求の範囲】
【請求項１】
少なくとも３つのトーションレース片を並列に並べ、繋ぎ合せた態様のトーションレース本体部から少なくとも１つの前記トーションレース片を飛び出させたことを特徴とするトーションレース。
【請求項２】
直列に並んだ位置関係にある２つの前記飛び出させたトーションレース片を、互いに相対向する方向に飛び出させることにより構成されたトーションレースユニットを含ませたことを特徴とする請求項１記載のトーションレース。
【請求項３】
前記飛び出させたトーションレース片と隣り合うトーションレース片同士を結合させることにより構成されたトーションレースユニットを含ませたことを特徴とする請求項１記載のトーションレース。
【請求項４】
前記飛び出させたトーションレース片は、前記トーションレース片の長さ方向に対して所定の角度を成して飛び出していることを特徴とする請求項１乃至請求項３いずれかに記載のトーションレース。
【発明の詳細な説明】
【技術分野】
【０００１】
本発明は、トーションレース片を用いたトーションレースに関する。
【背景技術】
【０００２】
トーションレース（ｔｏｒｃｈｏｎ  ｌａｃｅ）は、円形の編機の外側円周に糸を巻いたボビンを複数立て、各々のボビンに巻かれた糸を交錯させながら編機の中心に向かってからめて、テープ状に編み上げていくことにより形成される。また、トーションレースは、ボビンに巻く糸の種類を変えることにより、天然繊維や化学繊維等幅広い種類の糸により形成できる。以上のようにして形成されたトーションレースは、基本的にテープ形状をしており平面的である。
【０００３】
また、トーションレースは、各々のボビンに巻かれた糸の交錯の仕方を変えることにより様々な模様を形成することができる。様々な模様が形成されたトーションレースは、洋服やバック等に適用することにより、従来にない外観を実現していた。
【０００４】
トーションレースを用いたものとして、例えば複数本の細糸を編製して細幅長尺に形成したトーションレース  において、一連の図柄を少なくとも横幅よりも長く連続して形成した一帯部と、該一帯部の先端から延びトーションレース  からなる複数本の分離帯部分とが一組となり、該一組の編組部分が長手方向に連続するトーションレースが従来あった（例えば、特許文献１参照。）。
【０００５】
また、トーションレースを用いたものとして、例えば足首および足部に巻き付けて使用するバンド状のサポータにおいて、所定の長さのトーションレースと、前記トーションレース  の一方の端部に固着されたオス面ファスナーと、前記トーションレース  の他方の端部の裏側に固着されたメス面ファスナとを有することを特徴とするおしゃれサポータが従来あった（例えば、特許文献２参照。）。
【特許文献１】特開２０００―１４４５６３公報（図１）
【特許文献２】実用新案登録第３１２１８４３号公報（図２）
【発明の開示】
【発明が解決しようとする課題】
【０００６】
しかしながら、従来のトーションレースの用い方は、上記の特許文献に示されたトーションレースを用いた製品に代表されるようにトーションレースに織り込まれた模様を製品のデザインの中心として消費者に訴える用い方をしていた。トーションレースに織り込まれた模様のみでなく、その他のトーションレースの良い点をデザイナーが活用できやすいようにしたトーションレースがあれば便利である。
【０００７】
そこで、本発明は、トーションレースの活用の幅を広げさせるトーションレースを提供することを目的とする。
【課題を解決するための手段】
【０００８】
本発明は、上記課題を解決するためになされたものであり、本発明のトーションレースは、少なくとも３つのトーションレース片を並列に並べ、繋ぎ合せた態様のトーションレース本体部から少なくとも１つの上記トーションレース片を飛び出させたことを特徴とするものである。これにより、トーションレースの活用の幅を広げさせるという作用をもたらす。すなわち、上記トーションレース片飛び出し部を自由に移動させたり、上記トーションレース片飛び出し部を所定の形状に加工させたり等様々な態様でトーションレースを容易に活用させることができる。
【０００９】
また、本発明のトーションレースにおいて、直列に並んだ位置関係にある２つの上記飛び出させたトーションレース片を、互いに相対向する方向に飛び出させることにより構成されたトーションレースユニットを含ませたことを特徴とする。これにより、トーションレースの活用の幅をさらに広げさせるという作用をもたらす。
【００１０】
また、本発明のトーションレースにおいて、上記飛び出させたトーションレース片と隣り合うトーションレース片同士を結合させることにより構成されたトーションレースユニットを含ませたことを特徴とする。これにより、トーションレースの活用の幅をさらに広げさせるという作用をもたらす。
【００１１】
また、本発明のトーションレースにおいて、上記飛び出させたトーションレース片は、上記トーションレース片の長さ方向に対して所定の角度を成して飛び出していることを特徴とする。これにより、トーションレースの活用の幅をさらに広げさせるという作用をもたらす。
【発明の効果】
【００１２】
本発明によれば、トーションレースの活用の幅を広げ、さらにトーションレースの活用を容易にさせるという優れた効果を奏し得る。
【発明を実施するための最良の形態】
【００１３】
本発明におけるトーションレースは、トーションレース片を並列に並べた態様をしている。そして、並列に並べたトーションレース片は、例えば隣り合うトーションレース片の横端部同士を繋ぎ合わせて結合する。また、上記トーションレース片とは、本発明においてはテープ状に形成された長方形状のトーションレースが想定されるが、テープ状に形成された長方形状のトーションレース以外のトーションレースを本発明の範囲から除外するものではなく、例えばテープ状に形成されたその他の四角形状のトーションレース等も含む。また、上記トーションレース片は、一体形成されたものに限らず、複数のテープ状のトーションレースを直列に繋ぎ合せたものも含む。
【００１４】
さらに、本発明におけるトーションレースは、並列に並べて繋ぎ合せたトーションレース片から少なくとも１つのトーションレース片を飛び出させた形態をしている。ここでトーションレース片を飛び出させたとは、例えば並列に並べたトーションレース片のうち所定のトーションレース片の一部を隣り合うトーションレース片の横端部と結合させずに非拘束状態にして、並列に並べたトーションレース片の集合体からトーションレース片の一部が飛び出したような状態にさせることを言う。次に本発明の実施の形態について図面を参照して詳細に説明する。
【００１５】
図１は、本発明の実施の形態におけるトーションレース１００およびトーションレース２００を示す図である。図１（ａ）は、トーションレース１００の斜視図である。トーションレース１００は、トーションレース本体部１０と、飛び出しトーションレース片２１および２２とを備える。
【００１６】
トーションレース本体部１０は、少なくとも３つのトーションレース片を並列に並べて隣り合うトーションレース片の横端部同士を繋ぎ合せたものである。トーションレース片を並列に並べるとは、トーションレース片の長さ方向に対して直角な方向に沿って並べることを言う。
【００１７】
図１（ａ）においてトーションレース本体部１０は、右端トーションレース片１１０と、左端トーションレース片１２０と、中間トーションレース片１３０と、直列中間トーションレース片１４０とを備える。右端トーションレース片１１０は、トーションレース本体部１０の右端に位置するトーションレース片である。左端トーションレース片１２０は、トーションレース本体部１０の左端に位置するトーションレース片である。
【００１８】
中間トーションレース片１３０は、右端トーションレース片１１０と左端トーションレース片１２０との間に位置し、トーションレース本体部１０からトーションレース片の長さ方向Ａに沿って飛び出した非拘束状態の飛び出しトーションレース片２１を含むトーションレース片である。直列中間トーションレース片１４０は、右端トーションレース片１１０と左端トーションレース片１２０との間に位置し、トーションレース本体部１０からトーションレース片の長さ方向Ａと相対向する反対方向Ｂに沿って飛び出した非拘束状態の飛び出しトーションレース片２２を含むトーションレース片である。
【００１９】
そして、中間トーションレース片１３０と直列中間トーションレース片１４０とは、直列に並んだ位置関係にある。ここで言う直列に並んだ位置関係とは、例えばトーションレース片の長さ方向Ａに沿って直列に並んだ位置関係を言うものとする。
【００２０】
なお、図１（ａ）において飛び出しトーションレース片２１および２２は上方に伸びた態様で描かれているが、これは飛び出しトーションレース片２１および２２の一態様を表したものに過ぎず、飛び出しトーションレース片２１および２２はトーションレースであるため、様々な態様をとることができる。例えば、飛び出しトーションレース片２１および２２は、折り畳んだり、または穴部１１を通じてトーションレース本体部１０の表面、裏面のいずれからでも飛び出させることができる。
【００２１】
なお、トーションレース１００は、さらに大きな生地面積を有するトーションレースに含まれる一要素と捉えた場合、トーションレースユニット１００として捉えることができる。
【００２２】
図１（ｂ）は、トーションレース１００を解体した図である。トーションレース１００は、右端トーションレース片１１０と左端トーションレース片１２０との間に中間トーションレース片１３０および直列中間トーションレース片１４０を位置させた構造になっている。そして、図１（ｂ）において中間トーションレース片１３０と直列中間トーションレース片１４０とは並列に並べられているように見えるが、図１（ａ）から明らかなように中間トーションレース片１３０と直列中間トーションレース片１４０とは互いに直列に並べられた位置関係になっている。（なお、図１（ｂ）においては中間トーションレース片１３０と直列中間トーションレース片１４０とは互いに並列に並んでいるように見えるのは、トーションレース１００を解体した図を便宜上そのように描いたものに過ぎない。）
【００２３】
中間トーションレース片１３０の右横端部１３１は、右端トーションレース片１１０の左横端部１１１と繋ぎ合わされ、中間トーションレース片１３０の左横端部１３２は、左端トーションレース片１２０の右横端部１２１と繋ぎ合わされる。
【００２４】
同様に、直列中間トーションレース片１４０の右横端部１４１は、右端トーションレース片１１０の左横端部１１１と繋ぎ合わされ、直列中間トーションレース片１４０の左横端部１４２は、左端トーションレース片１２０の右横端部１２１と繋ぎ合わされる。
【００２５】
なお、中間トーションレース片１３０と右端トーションレース片１１０と左端トーションレース片１２０とを繋ぎ合わせる際、中間トーションレース片１３０の繋ぎ合わせ終端部１３５から所定の長さＬ１分は、中間トーションレース片１３０と右端トーションレース片１１０と左端トーションレース片１２０とを繋ぎ合わせない。中間トーションレース片１３０の繋ぎ合わせ終端部１３５から所定の長さＬ１分のトーションレース片が飛び出しトーションレース片２１となる。
【００２６】
同様に、直列中間トーションレース片１４０と右端トーションレース片１１０と左端トーションレース片１２０とを繋ぎ合わせる際、直列中間トーションレース片１４０の繋ぎ合わせ終端部１４５から所定の長さＬ２分は、直列中間トーションレース片１４０と右端トーションレース片１１０と左端トーションレース片１２０とを繋ぎ合わせない。直列中間トーションレース片１４０の繋ぎ合わせ終端部１４５から所定の長さＬ２分のトーションレース片が飛び出しトーションレース片２２となる。
【００２７】
これにより、中間トーションレース片１３０の繋ぎ合わせ終端部１３５から所定の長さＬ１分の長さを有する飛び出しトーションレース片２１、および直列中間トーションレース片１４０の繋ぎ合わせ終端部１４５から所定の長さＬ２分の長さを有する飛び出しトーションレース片２２は非拘束状態になり、それぞれ繋ぎ合わせ終端部１３５、および繋ぎ合わせ終端部１４５を支点として様々な方向に移動させることができる。
【００２８】
トーションレース１００によれば、飛び出しトーションレース片２１、および飛び出しトーションレース片２２を移動させたり、デザイナーのアイデアに応じて様々な形に加工したりすることができる。例えば、飛び出しトーションレース片２１と飛び出しトーションレース片２２とを結んでリボン形状を形成させたりすることができる。このため、トーションレース１００を、例えば洋服の一部に用いれば、トーションレースを用いたデザインの幅を拡げることができる。
【００２９】
なお、トーションレース１００において飛び出しトーションレース片２１の隣に飛び出しトーションレース片２１と並列に並んだ別の飛び出しトーションレース片を少なくとも１つ設けるようにしてもよい。この場合、右端トーションレース片１１０と左端トーションレース片１２０との間に中間トーションレース片１３０の他に別の中間トーションレース片を少なくとも１つ挿入し、その別の中間トーションレース片の一部を上記説明に習って非拘束状態として飛び出しトーションレース片とすればよい。同様に、トーションレース１００において飛び出しトーションレース片２２の隣に飛び出しトーションレース片２２と並列に並んだ別の飛び出しトーションレース片を少なくとも１つ設けるようにしてもよい。この場合、右端トーションレース片１１０と左端トーションレース片１２０との間に直列中間トーションレース片１４０の他に別の直列中間トーションレース片を少なくとも１つ挿入し、その別の直列中間トーションレース片の一部を上記説明に習って非拘束状態として飛び出しトーションレース片とすればよい。このような構成は、以下に説明する全ての本発明の別の実施の形態においても適用することができる。
【００３０】
図１（ｃ）は、トーションレース２００を示す図である。トーションレース２００は、上記説明したようにトーションレース１００をトーションレースユニット１００として捉えた場合、２つのトーションレースユニット１００を並列に繋ぎ合せた構造になっている。トーションレース２００においてはトーションレースユニット１００を２つ繋ぎ合せた構成になっているが、これに限るものではなく、３つ以上のトーションレースユニット１００を様々な態様で繋ぎ合せたトーションレースも構成することができる。
【００３１】
図２は、本発明の別の実施の形態におけるトーションレース３００を示す図である。図２（ａ）は、トーションレース３００の斜視図である。トーションレース３００は、トーションレース本体部３１０と、飛び出しトーションレース片３２１および３２２とを備える。なお、図１で用いた名称と同様の名称を用いたものは、図１で説明したものと同様の機能を有するものとする。
【００３２】
トーションレース３００は、トーションレース１００とほぼ同様の構造をしている。すなわち、トーションレース本体部３１０は、少なくとも３つのトーションレース片を並列に並べて隣り合うトーションレース片の横端部同士を繋ぎ合せたものであり、トーションレース本体部３１０から飛び出させたトーションレース片である飛び出しトーションレース片３２１および３２２を有している。
【００３３】
トーションレース３００とトーションレース１００との相違点は、飛び出しトーションレース片の飛び出し方向である。トーションレース１００において飛び出しトーションレース片は、図１で説明したようにトーションレース片の長さ方向に沿って飛び出している。一方、トーションレース３００において飛び出しトーションレース片は、トーションレース片の長さ方向とは所定の角度を成して飛び出している。
【００３４】
すなわち、飛び出しトーションレース片３２１は、トーションレース片の長さ方向Ｃと角度αを成す方向Ｃ´に飛び出している。また、飛び出しトーションレース片３２２は、トーションレース片の長さ方向Ｄと角度βを成す方向Ｄ´に飛び出している。
【００３５】
図２（ｂ）は、トーションレース３００を上から見た図である。図２（ｂ）においてトーションレース３００は、飛び出しトーションレース片３２１を図２（ａ）に示す矢印Ｅ方向に折り畳み、飛び出しトーションレース片３２２を図２（ａ）に示す矢印Ｆ方向に折り畳んだ態様になっている。そして、飛び出しトーションレース片３２１および３２２は、図２（ｂ）に示すようにトーションレース本体部３１０を構成するトーションレース片の長さ方向に対して略９０度成す方向に無理なく折り畳むことができる。
【００３６】
図２（ｃ）は、トーションレース３００を解体した図である。トーションレース３００は、上記説明したようにトーションレース本体部３１０と、飛び出しトーションレース片３２１および３２２とを備えているが、これらは具体的には、右端トーションレース片３４０と、左端トーションレース片３５０と、中間トーションレース片３６０、直列中間トーションレース片３７０とにより構成されている。なお、図１で用いた名称と同様の名称を用いたものは、図１で説明したものと同様の機能を有するものとする。
【００３７】
そして、右端トーションレース片３４０と左端トーションレース片３５０との間に中間トーションレース片３６０および直列中間トーションレース片３７０を位置させた構造になっている。図２（ｃ）において中間トーションレース片３６０と直列中間トーションレース片３７０とは、並列に並べられているように見えるが、図２（ａ）から明らかなように中間トーションレース片３６０と直列中間トーションレース片３７０とは互いに直列に並べられた位置関係になっている。（なお、図２（ｃ）においては中間トーションレース片３６０と直列中間トーションレース片３７０とは互いに並列に並んでいるように見えるのは、トーションレース３００を解体した図を便宜上そのように描いたものに過ぎない。）以上の点においてトーションレース３００は、トーションレース１００と同様の構造をしている。
【００３８】
そして、トーションレース３００とトーションレース１００との具体的相違点は、中間トーションレース片３６０および直列中間トーションレース片３７０と、右端トーションレース片３４０および左端トーションレース片３５０との繋ぎ合わせの態様である。
【００３９】
中間トーションレース片３６０と右端トーションレース片３４０とを繋ぎ合わせる際、中間トーションレース片３６０の繋ぎ合わせ終端部３６５から所定の長さＬ３分は、中間トーションレース片３６０と右端トーションレース片３４０とを繋ぎ合わせない。また、中間トーションレース片３６０と左端トーションレース片３５０とを繋ぎ合わせる際、中間トーションレース片３６０の繋ぎ合わせ終端部３６６から所定の長さＬ４分は、中間トーションレース片３６０と左端トーションレース片３５０とを繋ぎ合わせない。
【００４０】
同様に、直列中間トーションレース片３７０と右端トーションレース片３４０とを繋ぎ合わせる際、直列中間トーションレース片３７０の繋ぎ合わせ終端部３７５から所定の長さＬ５分は、直列中間トーションレース片３７０と右端トーションレース片３４０とを繋ぎ合わせない。また、直列中間トーションレース片３７０と左端トーションレース片３５０とを繋ぎ合わせる際、直列中間トーションレース片３７０の繋ぎ合わせ終端部３７６から所定の長さＬ６分は、直列中間トーションレース片３７０と左端トーションレース片３５０とを繋ぎ合わせない。
【００４１】
すなわち、トーションレース３００において中間トーションレース片３６０および直列中間トーションレース片３７０の両横端部と、右端トーションレース片３４０および左端トーションレース片３５０の横端部とを繋ぎ合わせる長さは、違った長さになっている。このようにすることによって飛び出しトーションレース片は、トーションレース片の長さ方向とは所定の角度を成して飛び出すことになる。この点においてトーションレース３００は、トーションレース１００とは相違している。
【００４２】
トーションレース３００によれば、例えば図２（ｂ）に示すようにトーションレース片に対して９０度方向に飛び出しトーションレース片３２１、および飛び出しトーションレース片３２２を無理なく移動させることができ、トーションレース１００とは違った飛び出しトーションレース片の移動態様を実現させることができる。また、トーションレース１００と同様にデザイナーのアイデアに応じた様々な形に加工することができる。このため、トーションレース３００を、例えば洋服の一部に用いれば、トーションレースを用いたデザインの幅を拡げることができる。
【００４３】
なお、トーションレース３００は、さらに大きな生地面積を有するトーションレースに含まれる一要素と捉えた場合、トーションレースユニット３００として捉えることができる。そして、トーションレース３００をトーションレースユニット３００として捉え、２つ以上のトーションレースユニット３００を並列に繋ぎ合せた構造のトーションレースも図１（ｃ）に習って実現することができる。
【００４４】
図３は、本発明の別の実施の形態におけるトーションレース４００およびトーションレース５００を示す図である。図３（ａ）は、トーションレース４００の斜視図である。トーションレース４００は、トーションレース本体部４１０と、飛び出しトーションレース片４２１とを備える。具体的にトーションレース４００は、右端トーションレース片４４０と、左端トーションレース片４５０と、中間トーションレース片４６０とで構成されている。なお、図１で用いた名称と同様の名称を用いたものは、図１で説明したものと同様の機能を有するものとする。
【００４５】
トーションレース４００の具体的構造は、図１で説明したトーションレース１００において、直列中間トーションレース片１４０を取り除いて直列中間トーションレース片１４０に相当する位置に位置する右端トーションレース片１１０および左端トーションレース片１２０の横端部同士を繋ぎ合わせた結合態様になっている。図３（ａ）において非拘束状態にある飛び出しトーションレース片４２１は、繋ぎ合わせ終端部４３５を支点として様々な方向へ移動可能である。
【００４６】
なお、トーションレース４００における中間トーションレース片４６０は、トーションレース１００における中間トーションレース片１３０に対応し、トーションレース４００における右端トーションレース片４４０は、トーションレース１００における右端トーションレース片１１０に対応し、トーションレース４００における左端トーションレース片４５０は、トーションレース１００における左端トーションレース片１２０に対応し、トーションレース４００における飛び出しトーションレース片４２１は、トーションレース１００における飛び出しトーションレース片２１に対応し、トーションレース４００における繋ぎ合わせ終端部４３５は、トーションレース１００における繋ぎ合わせ終端部１３５に対応する。
【００４７】
なお、トーションレース４００は、さらに大きな生地面積を有するトーションレースに含まれる一要素と捉えた場合、トーションレースユニット４００として捉えることができる。また、図２で説明したトーションレース片の長さ方向に対して所定の角度を成して飛び出させた飛び出しトーションレース片の態様をトーションレース４００に適用してもよい。
【００４８】
トーションレース４００によれば、非拘束状態にある飛び出しトーションレース片４２１を移動させたり、デザイナーのアイデアに応じて様々な形に加工したりすることができる。このため、トーションレース４００を、例えば洋服の一部に用いれば、トーションレースを用いたデザインの幅を拡げることができる。
【００４９】
図３（ｂ）は、トーションレース５００の斜視図である。トーションレース５００は、上記説明したようにトーションレース４００をトーションレースユニット４００として捉えた場合、トーションレースユニット４００を並列に繋ぎ合せた構造になっている。トーションレース５００においてはトーションレースユニット４００を２つ繋ぎ合せた構成になっているが、これに限るものではなく、３つ以上のトーションレースユニット４００を様々な態様で繋ぎ合せたトーションレースも構成することができる。
【００５０】
また、トーションレース１００（トーションレースユニット１００）、トーションレース３００（トーションレースユニット３００）、トーションレース４００（トーションレースユニット４００）を任意に組み合わせることにより、トーションレース２００、トーションレース５００以外の態様のトーションレースも形成することができるが、それらも本発明の範囲内に含まれる。
【００５１】
以上説明したように本発明の実施の形態であるトーションレース１００乃至５００によれば、繋ぎ合わせ終端部を支点として非拘束状態にある飛び出しトーションレース片を自由に移動させることができる。また、本発明の実施の形態であるトーションレース１００乃至５００によれば、飛び出しトーションレース片をトーションレース本体部の表面、裏面のいずれからでも飛び出させることができる。また、本発明の実施の形態であるトーションレース１００乃至５００によれば、非拘束状態にある飛び出しトーションレース片をデザイナーのアイデアに応じて様々な形に加工したりすることができる。このため、トーションレース１００乃至５００を用いれば、洋服素材、インテリア素材、建築素材等その他の用途に対して様々なデザインを容易に施すことができ、トーションレースを用いたデザインの幅を拡げることができる。
【００５２】
なお、本発明の実施の形態は本発明を具現化するための一例を示したものであり、これに限定されるものではなく本発明の要旨を逸脱しない範囲において種々の変形を施すことができる。
【産業上の利用可能性】
【００５３】
本発明の活用例として、以下のような例が挙げられる。例えば洋服の一部にトーションレース１００を取り入れ、飛び出しトーションレース片２１、および２２を用いてリボン形状を形成させてその洋服を装飾する。
【図面の簡単な説明】
【００５４】
【図１】本発明の実施の形態におけるトーションレース１００およびトーションレース２００を示す図である。
【図２】本発明の別の実施の形態におけるトーションレース３００を示す図である。
【図３】本発明の別の実施の形態におけるトーションレース４００およびトーションレース５００を示す図である。
【符号の説明】
【００５５】
１０、３１０、４１０  トーションレース本体部
２１、２２、３２１、３２２、４２１  飛び出しトーションレース片
１００、３００、４００  トーションレースユニット
１００、２００、３００、４００、５００  トーションレース
１１０、３４０、４４０  右端トーションレース片
１１１、１３２、１４２  左横端部
１２０、３５０、４５０  左端トーションレース片
１２１、１３１、１４１  右横端部
１３０、３６０、４６０  中間トーションレース片
１４０、３７０  直列中間トーションレース片
１３５、１４５、３６５、３６６、３７５、３７６、４３５  繋ぎ合わせ終端部
【図１】
2010121220.tif 000003
【図２】
2010121220.tif 000004
【図３】
2010121220.tif 000005